(57)【特許請求の範囲】
【請求項１】
薄肉板状の合成樹脂で一体形成され、内部が仕切壁で複数の収容部に区画されている容器本体を有し、
前記容器本体の中央に周囲より高く盛り上がった略円柱形の台座が設けられ、
前記仕切壁の内で上端が他の前記仕切壁より高く最大高さに位置する周状の前記仕切壁で区画される積層下側収容部が前記台座に設けられて前記容器本体の略中央に配置され、
前記積層下側収容部の上方に内容器が着脱可能に設けられ、
前記内容器の底部が前記上端が最大高さに位置する周状の仕切壁に係合されている
ことを特徴とする消費者持ち運び用の包装用容器。
【請求項２】
前記内容器の底部が、前記上端が最大高さに位置する仕切壁に遊嵌されていることを特徴とする請求項１記載の包装用容器。
【請求項３】
前記内容器の底部が、前記上端が最大高さに位置する仕切壁に、前記容器本体の高さ方向を軸方向とする回転が不能に係合されていることを特徴とする請求項１又は２記載の包装用容器。
【請求項４】
前記内容器の内部の平面視面積が、前記積層下側収容部の平面視面積よりも大きく、且つ前記容器本体の平面視面積よりも小さくなるように設定して形成されていることを特徴とする請求項１〜３の何れかに記載の包装用容器。
【請求項５】
前記容器本体と前記内容器を略密閉する下向き凹形の蓋と前記蓋の周縁より上側の位置で係合する係合部が前記内容器に設けられていることを特徴とする請求項１〜４の何れかに記載の包装用容器。
【請求項６】
請求項１〜５の何れかに記載の包装用容器を略密閉する下向き凹形の蓋であって、前記内容器に設けられている係合部、又は前記内容器に取り付けられる内蓋の係合部と係合する被係合部が周縁より上側の位置に設けられていることを特徴とする包装用容器の蓋。
【請求項７】
請求項１〜５の何れかに記載の包装用容器と、
前記包装用容器を略密閉する下向き凹形の蓋と
から構成されることを特徴とする蓋付き包装用容器。
【発明の詳細な説明】
【技術分野】
【０００１】
本発明は、主に食品を収容する包装用容器、包装用容器の蓋及び蓋付き包装用容器に関する。
【背景技術】
【０００２】
包装用容器として、容器本体が蓋を着脱自在に形成されていると共に、容器本体の内部が仕切壁によって複数の収容部に区画されているものが知られている。このタイプの包装用容器は、区画された複数の収容部に異なる種類の食品を収容可能であり、便宜性に優れるものである（特許文献１、２参照）。
【０００３】
特に、特許文献２の包装用容器のように、中央に食品を収容可能な凹部が形成され、この凹部の周壁から容器本体の周壁に向かって仕切壁が放射状に延びて形成される包装用容器は、多種類の食品を区別してコンパクトに収容可能であると共に、美しく盛り付けることが可能であり、例えば多人数の会食等で食品を供するのにも適している。
【先行技術文献】
【特許文献】
【０００４】
【特許文献１】特開２０１０−２０８６５０号公報
【特許文献２】意匠登録第１３８７３３４号公報
【発明の概要】
【発明が解決しようとする課題】
【０００５】
ところで、核家族や一人暮らし用の広さの住宅事情や、宅配の利便性の観点から、包装用容器には、平面的な大きさを広げずに、より収容量を増やすことが求められているが、特許文献１、２のような包装用容器は、いずれも食品が平面的に配置、収容されるものであり、包装用容器として必要な強度を確保しつつ収容量を増やすには自ずと限界がある。そのため、平面的な大きさを広げずとも収容量を増やすことができる包装用容器が望まれている。
【０００６】
本発明は上記課題に鑑み提案するものであって、平面的な大きさを広げずとも収容量を増やすことができると共に、汎用性に優れる包装用容器、その包装用容器の蓋及び蓋付き包装用容器を提供することを目的とする。
【課題を解決するための手段】
【０００７】
本発明の包装用容器は、消費者持ち運び用の包装用容器であり、薄肉板状の合成樹脂で一体形成され、内部が仕切壁で複数の収容部に区画されている容器本体を有し、前記容器本体の中央に周囲より高く盛り上がった略円柱形の台座が設けられ、前記仕切壁の内で上端が他の前記仕切壁より高く最大高さに位置する周状の前記仕切壁で区画される積層下側収容部が前記台座に設けられて前記容器本体の略中央に配置され、前記積層下側収容部の上方に内容器が着脱可能に設けられ、前記内容器の底部が前記上端が最大高さに位置する周状の仕切壁に係合されていることを特徴とする。
これによれば、積層下側収容部の収容と内容器の収容により、平面視同一位置に二段に食品等を収容することが可能となり、又、内容器の底部を上端が最大高さに位置する仕切壁に係合するので、容器本体への食品等の収容を内容器が阻害することを防止でき、内容器がない場合と同様の容器本体への食品等の収容を確保することができる。従って、容器本体の平面的な大きさを広げずとも包装用容器の食品等の収容量を増やすことができる。また、内容器が着脱可能であることから、用途に応じて内容器を設置して使用したり、取り外して使用することができ、優れた汎用性を発揮することができる。また、内容器の底部と仕切壁を係合することにより、内容器の設置状態の安定性を高め、持ち運び時等に内容器が転倒することを防止することができる。また、積層下側収容部と内容器が平面視で容器本体の略中央に配置されることになり、食品等を多段に収容して高さが高くなる部分を包装用容器のほぼ重心に配置することによって、包装用容器の安定性を高め、持ち運び時等に内容器が転倒することを防止することができる。更に、略中央を多段に高くすることにより、バランスの良い優れた美観を得ることができる。
【０００８】
本発明の包装用容器は、前記内容器の底部が、前記上端が最大高さに位置する仕切壁に遊嵌されていることを特徴とする。
これによれば、係合をきつい嵌合にした場合には、利用者が内容器を取り外す際に、内容器や積層下側収容部に収容された食品等が飛び散る等の事態が生じ得るが、遊嵌により、斯様な内容器を取り外す際の内容物の飛散を防止することができる。
【０００９】
本発明の包装用容器は、前記内容器の底部が、前記上端が最大高さに位置する仕切壁に、前記容器本体の高さ方向を軸方向とする回転が不能に係合されていることを特徴とする。
これによれば、持ち運び時等の内容器の回転動作を無くして、内容器の設置状態の安定性をより高めることができる。
【００１０】
本発明の包装用容器は、前記内容器の内部の平面視面積が、前記積層下側収容部の平面視面積よりも大きく、且つ前記容器本体の平面視面積よりも小さくなるように設定して形成されていることを特徴とする。
これによれば、積層下側収容部の収容量より内容器の食品等の収容量を大きくし、全体的な収容量をより増やすことが可能になると共に、内容器で容器本体に収容される食品等への視認が阻害されることを防止し、容器本体に収容される食品等に対する消費者等の認知を確保することができる。
【００１１】
本発明の包装用容器は、前記容器本体と前記内容器を略密閉する下向き凹形の蓋と前記蓋の周縁より上側の位置で係合する係合部が前記内容器に設けられていることを特徴とする。
これによれば、内容器の係合部の係合により、内容器の設置状態の安定性を非常に高めることができ、持ち運び時等に内容器が転倒することを確実に防止することができる。
【００１２】
本発明の包装用容器は、内部が仕切壁で複数の収容部に区画されている容器本体と、前記仕切壁の内で上端が最大高さに位置する前記仕切壁で区画される積層下側収容部の上方に着脱可能に設けられ、底部が前記上端が最大高さに位置する仕切壁に係合される中間段内容器と、前記中間段内容器の上方に着脱可能に設けられ、底部が前記中間段内容器の周壁に係合される最上段内容器とを備えることを特徴とする。
これによれば、積層下側収容部の収容と中間段内容器の収容と最上段内容器の収容により、平面視同一位置に三段に食品等を収容することが可能となり、又、中間段内容器の底部を上端が最大高さに位置する仕切壁に係合するので、容器本体への食品等の収容を中間段内容器が阻害することを防止でき、内容器がない場合と同様の容器本体への食品等の収容を確保することができる。従って、容器本体の平面的な大きさを広げずとも包装用容器の食品等の収容量をより一層増やすことができる。また、中間段内容器、最上段内容器が着脱可能であることから、用途に応じて中間段内容器或いは中間段内容器と最上段内容器を設置して使用したり、最上段内容器或いは双方を取り外して使用することができ、より優れた汎用性を発揮することができる。また、中間段内容器の底部と仕切壁、最上段内容器の底部と中間段内容器の周壁を係合することにより、内容器の設置状態の安定性を高め、持ち運び時等に最上段内容器や中間段内容器が転倒することを防止することができる。
【００１３】
本発明の包装用容器は、内部が仕切壁で複数の収容部に区画されている容器本体と、互いに係合して上下に着脱可能に積層され、前記仕切壁の内で上端が最大高さに位置する前記仕切壁で区画される積層下側収容部の上方に着脱可能に設けられる複数段の中間段内容器と、前記複数の中間段内容器の上方に着脱可能に設けられる最上段内容器とを備え、前記複数の中間段内容器の内の最下段の中間段内容器の底部が、前記上端が最大高さに位置する仕切壁に係合され、前記複数の中間段内容器の内の最上段の中間段内容器の周壁に、前記最上段内容器の底部が係合されることを特徴とする。
これによれば、積層下側収容部の収容と複数段の中間段内容器の収容と最上段内容器の収容により、平面視同一位置に四段以上に食品等を収容することが可能となり、又、中間段内容器の底部を上端が最大高さに位置する仕切壁に係合するので、容器本体への食品等の収容を中間段内容器が阻害することを防止でき、内容器がない場合と同様の容器本体への食品等の収容を確保することができる。従って、容器本体の平面的な大きさを広げずとも包装用容器の食品等の収容量をより一層増やすことができる。また、中間段内容器、複数段の中間段内容器、最上段内容器が着脱可能であることから、用途に応じて中間段内容器、所要段の中間段内容器、最上段内容器を設置して使用したり、最上段内容器、複数段の中間段内容器の不要なものを上から取り外して使用することができ、より優れた汎用性を発揮することができる。また、最下段の中間段内容器の底部と仕切壁、複数段の中間段内容器の相互、最上段内容器の底部と最上段の中間段内容器の周壁を係合することにより、内容器の設置状態の安定性を高め、持ち運び時等に最上段内容器、複数段の中間段内容器、中間段内容器が転倒することを防止することができる。
【００１４】
本発明の包装用容器は、前記最上段内容器の底部と前記中間段内容器の周壁との係合と、前記中間段内容器の底部と前記積層下側収容部の前記上端が最大高さに位置する仕切壁との係合とが遊嵌とされ、前記最上段内容器の底部と前記中間段内容器の周壁との遊嵌が、前記中間段内容器の底部と前記積層下側収容部の前記上端が最大高さに位置する仕切壁との遊嵌よりも緩いことを特徴とする。
これによれば、係合をきつい嵌合にした場合には、利用者が最上段内容器、中間段内容器を取り外す際に、最上段内容器や中間段内容器の食品等が飛び散る等の事態が生じ得るが、遊嵌により、斯様な最上段内容器や中間段内容器を取り外す際の内容物の飛散を防止することができる。また、中間段内容器の底部と積層下側収容部の仕切壁との遊嵌をきつめにすることにより、多段に積層される内容器の安定性を高めることができる。
【００１５】
本発明の包装用容器は、前記各係合が、前記容器本体の高さ方向を軸方向とする回転が不能な係合であることを特徴とする。
これによれば、持ち運び時等の多段の内容器の回転動作を無くして、多段の内容器の設置状態の安定性をより高めることができる。
【００１６】
本発明の包装用容器は、前記積層下側収容部と、前記最上段内容器と、前記中間段内容器若しくは前記複数段の中間段内容器が、平面視で前記容器本体の略中央に配置されていることを特徴とする。
これによれば、食品等を多段に収容して高さや重さが大きくなる部分を包装用容器のほぼ重心に配置することにより、重心の安定によって包装用容器の安定性を高め、持ち運び時等に内容器が転倒することを防止することができる。また、略中央を多段に高くすることにより、バランスの良い優れた美観を得ることができる。
【００１７】
本発明の包装用容器は、前記容器本体と、前記最上段内容器と、前記中間段内容器若しくは前記複数段の中間段内容器とを略密閉する下向き凹形の蓋と前記蓋の周縁より上側の位置で係合する係合部が前記最上段内容器に設けられていることを特徴とする。
これによれば、最上段内容器の係合部の係合により、多段の内容器の設置状態の安定性を非常に高めることができ、持ち運び時等に多段の内容器が転倒することを確実に防止することができる。
【００１８】
本発明の包装用容器の蓋は、本発明の包装用容器を略密閉する下向き凹形の蓋であって、前記内容器若しくは前記最上段内容器に設けられている係合部、又は前記内容器に取り付けられる内蓋の係合部と係合する被係合部が周縁より上側の位置に設けられていることを特徴とする。
これによれば、本発明の包装用容器と同様の効果を奏すると共に、内容器の係合部、最上段内容器の係合部、内容器の内蓋の係合部との係合により、内容器或いは最上段内容器の設置状態の安定性を非常に高めることができ、持ち運び時等に内容器或いは内容器と蓋が転倒することを確実に防止することができる。
【００１９】
本発明の蓋付き包装用容器は、本発明の包装用容器と、前記包装用容器を略密閉する下向き凹形の蓋とから構成されることを特徴とする。
これによれば、本発明の包装用容器と同様の効果を奏する蓋付き包装用容器を得ることができる。
【発明の効果】
【００２０】
本発明の包装用容器、包装用容器の蓋或いは蓋付き包装用容器は、平面的な大きさを広げずとも収容量を増やすことができると共に、優れた汎用性を発揮することができる。
【図面の簡単な説明】
【００２１】
【図１】本発明による第１実施形態の包装用容器及びその蓋を示す正面図。
【図２】第１実施形態の包装用容器の平面図。
【図３】第１実施形態の包装用容器における容器本体の正面図。
【図４】第１実施形態の包装用容器における容器本体の平面図。
【図５】第１実施形態の包装用容器における容器本体の縦断説明図。
【図６】第１実施形態の包装用容器における内容器の底面図。
【図７】本発明による第２実施形態の包装用容器及びその蓋を示す正面図。
【図８】本発明による第３実施形態の包装用容器及びその蓋を示す正面図。
【図９】本発明による第４実施形態の包装用容器及びその蓋を示す正面図。
【図１０】（ａ）は変形例の包装用容器及びその蓋を示す正面図、（ｂ）は別の変形例の包装用容器及びその蓋を示す正面図。
【発明を実施するための形態】
【００２２】
〔第１実施形態の包装用容器及び包装用容器の蓋〕
本発明による第１実施形態の包装用容器１は、図１〜図５に示すように、平面視略円形の容器本体２と、容器本体２に着脱可能に設けられる内容器３を有する。容器本体２は、合成樹脂で一体的に形成され、全体に亘って薄肉板状になっている。容器本体２は、若干外側に向かって斜め上方に立設する周壁２１を有し、周壁２１の上端近傍には蓋１０と嵌合する嵌合段部２１１が形成されている。
【００２３】
容器本体２には、中央に周囲より高く盛り上がった略円柱形の台座２２が設けられ、台座２２は上方に向かって漸次径が縮小するように形成されていると共に、その上部外周の所定箇所に間隔を開けて鋭角に外方に突出する突部２２１が形成されている。突部２２１が形成されていることにより、台座２２の周状に形成されている上面２２２の外周縁は略多角形（図示例では略５角形）になっていると共に、上面２２２の面積が、突部２２１がない場合に比べて大きくなっている。
【００２４】
周壁２１と台座２２との間には、周方向に所定間隔を開けて仕切壁２３が形成されており、図示例では５個の仕切壁２３が設けられ、各仕切壁２３は平面視で突出部２２１に対応する位置に形成されている。仕切壁２３と仕切壁２３との間は食品の収容部２４になっており、図示例では５個の略扇形の収容部２４が設けられている。尚、図示例の収容部２４の底部２４１は、中央に向かって高くなる階段状の段差面になっている。
【００２５】
台座２２の平面視の略中央には、略凹形の収容部２５が設けられており、収容部２５は、底部２６の周縁から上方に立設する周壁である仕切壁２７によって区画されている。仕切壁２７は、平面視で略多角形の周壁になっており、図示例では略十角形になっている。
【００２６】
仕切壁２７の一部は、台座２２の上面２２２から上方に突出するように形成され、上面２２２から略多角形状に突出する突出部２７１になっている。仕切壁２７の残部は、上面２２２から下方に突出するように形成されており、収容部２５の底部２６は台座２２の上面２２２よりも低位置に位置している。
【００２７】
このように容器本体２の内部は、複数の仕切壁２３、２７で複数の収容部２４、２５に区画されており、仕切壁２３、２７の内で上端が最大高さの位置する仕切壁２７で区画される収容部２５は積層下側収容部に相当し、その上方に後述する内容器３が着脱可能に設けられる。
【００２８】
内容器３は、図１、図２、図６に示すように、底部３１と、底部３１の周縁から上方に立設する周壁３２を有する略皿状であり、底部３１の略中央に、仕切壁２７に係合される係合部に相当する係合溝３３が、下方に開放されて形成されている。係合溝３３は、略多角形状、図示例では略十角形状の溝になっており、仕切壁２７の上端近傍、即ち台座上面２２２から突出する突出部２７１に係合溝３３が係合されることにより、内容器３の底部３１が仕切壁２７に係合される。
【００２９】
内容器３の底部３１に形成されている係合溝３３は、仕切壁２７の突出部２７１に若干余裕のある状態で遊嵌されており、又、略多角形状の係合溝３３と略多角形状の仕切壁２７の係合により、内容器３の底部３１は仕切壁２７に、容器本体２の高さ方向を軸方向とする回転が不能に係合されている。
【００３０】
そして、積層下側収容部である収容部２５の仕切壁２７に底部３１が係合された内容器３は、収容部２５と共に平面視で容器本体２の略中央に配置される。更に、本例では、内容器３の係合溝３３の外周側の底部３１の領域が、係合状態で台座２２の上面２２２上に載置されるようになっており、内容器３の設置状態の安定性が高められている。特に、突部２２１が形成されることで上面２２２の面積が広くなっていることから、内容器３の設置状態の安定性はより高いものとなる。
【００３１】
また、積層下側収容部に相当する収容部２５の上方に、上記係合によって着脱可能に設けられる内容器３は、その内部の平面視面積が、収容部２５の平面視面積よりも大きく、且つ容器本体２の平面視面積よりも小さく形成されており、内容器３の収容量は、収容部２５より大きく、且つ容器本体２よりも小さくなっている。
【００３２】
包装用容器１には、図１に示すように、透明で下向き凹形の蓋１０が被せられて略密閉され、蓋付き包装用容器が構成される。図示例の蓋１０は、頂部が平たい略半球形であり、その周縁には容器本体２の嵌合段部２１１と嵌合可能な段部１１が形成され、段部１１を嵌合段部２１１に嵌め込むことにより、蓋１０が容器本体２に取り付けられ、包装用容器１が略密閉されるようになっている。蓋１０は、容器本体２に内容器３が設置された状態と、容器本体２から内容器３が取り外された状態の双方で、包装用容器１、容器本体２に被せて略密閉することが可能である。
【００３３】
第１実施形態によれば、積層下側収容部に相当する収容部２５と内容器３の収容により、平面視同一位置に二段に食品等を収容することが可能となり、又、内容器３の底部３１を上端が最大高さに位置する仕切壁２７に係合するので、容器本体２への食品等の収容を内容器３が阻害することを防止でき、内容器３がない場合と同様の容器本体２への食品等の収容を確保することができる。従って、容器本体２の平面的な大きさを広げずとも包装用容器１の食品等の収容量を増やすことができる。
【００３４】
また、内容器３が容器本体２に対して着脱可能であることから、用途に応じて内容器３を設置して使用したり、取り外して使用することができ、優れた汎用性を発揮することができる。また、内容器３の底部３１と仕切壁２７を係合することにより、内容器３の設置状態の安定性を高め、持ち運び時等に内容器３が転倒することを防止することができる。
【００３５】
更に、内容器３の底部３１と仕切壁２７を係合を遊嵌とすることにより、係合をきつい嵌合にした場合に利用者が内容器を取り外す際に生じ得る食品の飛び散り等の内容物の飛散を防止することができる。また、内容器３の底部３１を仕切壁２７に、容器本体２の高さ方向を軸方向とする回転が不能に係合することにより、持ち運び時等の内容器３の回転動作を無くして、内容器３の設置状態の安定性をより高めることができる。
【００３６】
また、積層下側収容部に相当する収容部２５と内容器３を平面視で容器本体２の略中央に配置することにより、食品等を多段に収容して高さや重さが大きくなる部分を包装用容器１のほぼ重心に配置することができ、重心の安定によって包装用容器１の安定性を高め、持ち運び時等に内容器３が転倒することを防止することができる。また、略中央を多段に高くすることにより、バランスの良い優れた美観を得ることができる。
【００３７】
また、内容器３の内部の平面視面積が、積層下側収容部に相当する収容部２５の平面視面積よりも大きく、且つ容器本体２の平面視面積よりも小さくなるように設定して形成することにより、収容部２５の収容量より内容器３の食品等の収容量を大きくし、全体的な収容量をより増やすことが可能になると共に、内容器３で容器本体２に収容される食品等への視認が阻害されることを防止し、容器本体２に収容される食品等に対する消費者等の認知を確保することができる。
【００３８】
〔第２実施形態の包装用容器及び包装用容器の蓋〕
本発明による第２実施形態の包装用容器１ａでは、図７に示すように、内容器３ａの中央に係合部に相当する略円柱形の柱部３４が起立形成されていると共に、透明で下向き凹形の蓋１０ａの頂部の略中央に被係合部に相当する凹部１２が形成されている。そして、容器本体２に内容器３ａを設置した状態で蓋１０ａを容器本体２に被せて略密閉した場合に、容器本体２の周縁、蓋１０ａの周縁より上側の位置において、内容器３ａの柱部３４の上端近傍が蓋１０ａの凹部１２に係合されるようになっている。この内容器３ａの係合部と蓋１０ａの被係合部との係合は、蓋１０ａの取り外しの際に、内容器３ａの台座２２からの離脱・転倒、内容物の飛散を防止するために、若干余裕のある状態の遊嵌で係合することが好ましい。その他の構成は第１実施形態の包装用容器１、蓋１０の構成と同様である。尚、柱部３４の形状は、これ以外にも係合溝３３付近から立設する山形状等とするなど適宜であるが、蓋１０ａを取り付ける際の周方向の自由度を確保するためには係合部分は略円形とすることが好ましい。
【００３９】
第２実施形態によれば、第１実施形態と対応する構成により対応する効果を発揮することができると共に、内容器３ａと蓋１０ａとの係合により、内容器３の設置状態の安定性を非常に高めることができ、持ち運び時等に内容器３が転倒することを確実に防止することができる。
【００４０】
〔第３実施形態の包装用容器及び包装用容器の蓋〕
本発明による第３実施形態の包装用容器１ｂは、図８に示すように、第１実施形態と同一構成の容器本体２と、上端が最大高さに位置する仕切壁２７で区画される積層下側収容部に相当する収容部２５の上方に着脱可能に設けられる中間段内容器４と、中間段内容器４の上方に着脱可能に設けられる最上段内容器５を備える。
【００４１】
中間段内容器４は、底部４１と、底部４１の周縁から上方に立設する周壁４２を有する略凹形であり、周壁４２は平面視で略多角形状に形成されている。底部４１の略中央には、仕切壁２７に係合される係合部に相当する係合溝４３が、下方に開放されて形成されている。係合溝４３は、係合溝３３と同一構成で略多角形状の溝になっており、仕切壁２７の上端近傍、即ち台座上面２２２から突出する突出部２７１に係合溝４３が係合されることにより、中間段内容器４の底部４１が仕切壁２７に係合される。
【００４２】
中間段内容器４の底部４１に形成されている係合溝４３は、本例では、仕切壁２７の突出部２７１に若干余裕のある状態で遊嵌し、且つこの遊嵌が後述する最上段内容器５と中間段内容器４との遊嵌よりも僅かにきつめになるように係合するようになっている。また、略多角形状の係合溝４３と略多角形状の仕切壁２７の係合により、中間段内容器４の底部４１は仕切壁２７の突出部２７１に、容器本体２の高さ方向を軸方向とする回転が不能に係合される。
【００４３】
収容部２５の仕切壁２７に底部４１が係合された中間段内容器４は、収容部２５と共に平面視で容器本体２の略中央に配置される。更に、本例では、中間段内容器４の係合溝４３の外周側の底部４１の領域が、係合状態で、突部２２１により広めに形成されている台座上面２２２上に載置され、中間段内容器４の設置状態の安定性がより高められている。
【００４４】
上記係合によって着脱可能に設けられる中間段内容器４は、その内部の平面視面積が、収容部２５の平面視面積よりも大きく、且つ容器本体２の平面視面積よりも小さく形成され、中間段内容器４の収容量は、収容部２５より大きく、且つ容器本体２よりも小さくなっている。
【００４５】
最上段内容器５は、底部５１と、底部５１の周縁から上方に立設する周壁５２を有する略皿状であり、底部５１には、中間段内容器４の周壁４２の上端近傍と係合する係合段部５３が係合部として形成されている。係合段部５３は、底面視で略多角形状であり、中間段内容器４の周壁４２の上端近傍の内側に入り込んで係合され、これによって最上段内容器５の底部５１が中間段内容器４の周壁４２に係合される。最上段内容器５の係合段部５３と中間段内容器４の周壁４２との係合は、若干余裕のある状態の遊嵌とされ、この遊嵌は本例では中間段内容器４の底部４１と仕切壁２７の遊嵌よりも緩い遊嵌になっている。
【００４６】
また、略多角形状の係合段部５３と略多角形状の周壁４２との係合により、最上段内容器５の底部５１が周壁４２に、容器本体２の高さ方向を軸方向とする回転が不能に係合され、上記中間段内容器４と仕切壁２７との係合と相俟って、最上段内容器５が中間段内容器４に対して容器本体２の高さ方向を軸方向とする回転が不能であり、最上段内容器５、中間段内容器４が容器本体２に対して容器本体２の高さ方向を軸方向とする回転が不能になっている。
【００４７】
中間段内容器４に係合された最上段内容器５は、収容部２５、中間段内容器４と共に平面視で容器本体２の略中央に配置される。また、本例の最上段内容器５の内部の平面視面積は、収容部２５の平面視面積よりも大きく、且つ容器本体２の平面視面積よりも小さく形成され、最上段内容器５の収容量は、収容部２５より大きく、且つ容器本体２よりも小さくなっている。尚、最上段内容器５と中間団内容器４の相互について、平面視面積、収容量の大小は適宜設定することが可能である。
【００４８】
包装用容器１ｂには、第１実施形態と同様の透明で下向き凹形の蓋１０が被せられて略密閉され、蓋付き包装用容器が構成される。蓋１０は、容器本体２に中間段内容器４と最上段内容器５が設置された状態、容器本体２に中間段内容器４だけが設置された状態、容器本体２から中間段内容器４と最上段内容器５の双方が取り外された状態のいずれであっても、包装用容器１、容器本体２に被せて略密閉することが可能である。
【００４９】
尚、第３実施形態において、最上段内容器５に第２実施形態の柱部３４等に相当する係合部を設け、第２実施形態の凹部１２に相当する被径合部が設けられている蓋１０ａを用い、中間段内容器４、最上段内容器５が設置されている容器本体２を蓋１０ａで密閉した場合に、蓋１０ａの周縁より上側の位置で係合部と被径合部が係合するように構成してもよい。この係合も、第２実施形態と同様の遊嵌とすると好ましい。この最上段内容器５と蓋１０ａの係合により、最上段内容器５、中間段内容器４の設置状態の安定性を非常に高めることができ、持ち運び時等に多段の最上段内容器５、中間段内容器４が転倒することを確実に防止することができる。また、中間段内容器４内の食品等を視認可能にするために、周壁４２の周方向に離間する複数箇所に上端から切り欠きを形成したり、開口穴を形成したり、中間段内容器４を透明の素材で形成すること等も可能であり、これらの変形は後述する第４実施形態の中間段内容器６についても同様である。
【００５０】
第３実施形態によれば、積層下側収容部に相当する収容部２５の収容と中間段内容器４の収容と最上段内容器５の収容により、平面視同一位置に三段に食品等を収容することが可能となり、又、中間段内容器４の底部４１を上端が最大高さに位置する仕切壁２７に係合するので、容器本体２への食品等の収容を中間段内容器４が阻害することを防止でき、中間段内容器４、最上段内容器５がない場合と同様の容器本体２への食品等の収容を確保することができる。従って、容器本体２の平面的な大きさを広げずとも包装用容器１の食品等の収容量をより一層増やすことができる。
【００５１】
また、中間段内容器４、最上段内容器５が着脱可能であることから、用途に応じて中間段内容器４、或いは中間段内容器４と最上段内容器５を設置して使用したり、最上段内容器５或いは双方を取り外して使用することができ、より優れた汎用性を発揮することができる。また、中間段内容器４の底部４１と仕切壁２７、最上段内容器５の底部５１と中間段内容器４の周壁４２を係合することにより、設置状態の安定性を高め、持ち運び時等に最上段内容器５や中間段内容器４が転倒することを防止することができる。
【００５２】
また、最上段内容器５の底部５１と中間段内容器４の周壁４２との係合と、中間段内容器４の底部４１と積層下側収容部に相当する収容部２５と上端が最大高さに位置する仕切壁２７との係合を遊嵌とすることにより、最上段内容器５や中間段内容器４を取り外す際の内容物の飛散を防止することができる。更に、本例では包装用容器１全体でより下方に位置する後者の遊嵌を前者の遊嵌よりもきつく設定していることから、多段に積層される最上段内容器５と中間段内容器４の安定性をより高めることができる。
【００５３】
また、最上段内容器５と中間段内容器４との係合、中間段内容器４と仕切壁２７との係合を、容器本体２の高さ方向を軸方向とする回転が不能な係合とすることにより、持ち運び時等に多段の最上段内容器５、中間段内容器４に回転動作が生ずることを防止し、多段の最上段内容器５、中間段内容器４の設置状態の安定性をより高めることができる。
【００５４】
また、積層下側収容部に相当する収容部２５、中間段内容器４、最上段内容器５を平面視で容器本体２の略中央に配置することにより、食品等を多段に収容して高さや重さが大きくなる部分を包装用容器１のほぼ重心に配置することができ、重心の安定によって包装用容器１の安定性を一層高めることができる。また、略中央を多段に高くすることにより、バランスの良い優れた美観を得ることができる。
【００５５】
また、最上段内容器５、中間段内容器４の内部の平面視面積を収容部２５の平面視面積よりも大きく、且つ容器本体２の平面視面積よりも小さくし、最上段内容器５、中間段内容器４の収容量、全体の収容量を増やしつつ、最上段内容器５、中間段内容器４で容器本体２に収容される食品等への視認が阻害されることを防止し、容器本体２に収容される食品等に対する消費者等の認知を確保することができる。
【００５６】
〔第４実施形態の包装用容器及び包装用容器の蓋〕
本発明による第４実施形態の包装用容器１ｃは、図９に示すように、第３実施形態と同一構成の容器本体２と、上端が最大高さに位置する仕切壁２７で区画される積層下側収容部に相当する収容部２５の上方に着脱可能に設けられる第３実施形態と同一構成の中間段内容器４と、中間段内容器４の上方に着脱可能に係合して設けられる別の中間段内容器６と、中間段内容器５の上方に着脱可能に設けられる第３実施形態と同一構成の最上段内容器５を備え、最下段（本例では下段）に位置する中間段内容器４と最上段（本例では下段）に位置する中間段内容器６が上下に積層される複数段の中間段内容器４、６を有する。中間段内容器４の容器本体２への係合設置の構造は第３実施形態と同一である。
【００５７】
中間段内容器６は、底部６１と、底部６１の周縁から上方に立設する周壁６２を有する略凹形であり、周壁６２は平面視で略多角形状に形成されている。底部６１には中間段内容器４の周壁４２の上端近傍と係合する係合段部６３が係合部として形成されている。係合段部６３も、底面視で略多角形状であり、中間段内容器４の周壁４２の上端近傍の内側に入り込んで係合され、これによって中間段内容器６の底部６１が中間段内容器４の周壁４２に係合される。中間段内容器６の係合段部６３と中間段内容器４の周壁４２との係合は、若干余裕のある状態の遊嵌とされ、この遊嵌は中間段内容器４の底部４１と仕切壁２７の遊嵌よりも緩い遊嵌になっている。
【００５８】
略多角形状の係合段部６３と略多角形状の周壁４２との係合により、中間段内容器６の底部６１が周壁４２に、容器本体２の高さ方向を軸方向とする回転が不能に係合され、中間段内容器４と仕切壁２７との回転不能な係合、後述する最上段内容器５と中間段内容器６との回転不能な係合と相俟って、最上段内容器５、中間段内容器４、６が容器本体２に対して容器本体２の高さ方向を軸方向とする回転が不能になっている。中間段内容器４の上方に係合して設置された中間段内容器６は、収容部２５、中間段内容器４と共に平面視で容器本体２の略中央に配置される。
【００５９】
上記係合によって着脱可能に設けられる中間段内容器６は、その内部の平面視面積が、収容部２５の平面視面積よりも大きく、且つ容器本体２の平面視面積よりも小さく形成され、中間段内容器６の収容量は、収容部２５より大きく、且つ容器本体２よりも小さくなっている。尚、中間段内容器６、中間段内容器４、最上段内容器５の相互について、平面視面積、収容量の大小は適宜設定することが可能である。
【００６０】
最上段内容器５の底部５１の係合段部５３は、上段に位置する中間段内容器６の周壁６２の上端近傍の内側に入り込んで係合され、これによって最上段内容器５の底部５１が中間段内容器６の周壁６２に係合される。最上段内容器５の係合段部５３と中間段内容器６の周壁６２との係合は、若干余裕のある状態の遊嵌とされ、この遊嵌は本例では中間段内容器４の底部４１と仕切壁２７の遊嵌よりも緩い遊嵌になっており、好ましくは中間段内容器６の底部６１と中間段内容器４の周壁４２との遊嵌よりも緩い遊嵌とするとよい。
【００６１】
また、略多角形状の係合段部５３と中間段内容器６の略多角形状の周壁６２との係合により、最上段内容器５の底部５１が周壁６２に、容器本体２の高さ方向を軸方向とする回転が不能に係合される。中間段内容器６に係合された最上段内容器５は、収容部２５、中間段内容器４、６と共に平面視で容器本体２の略中央に配置される。
【００６２】
包装用容器１ｃにも、第１、第３実施形態と同様の透明で下向き凹形の蓋１０が被せられて略密閉され、蓋付き包装用容器が構成される。蓋１０は、容器本体２に中間段内容器４、６と最上段内容器５が設置された状態、容器本体２に中間段内容器４だけ或いは中間段内容器４、６だけが設置された状態、容器本体２から中間段内容器４、６と最上段内容器５の双方が取り外された状態のいずれであっても、包装用容器１、容器本体２に被せて略密閉することが可能である。また、変形例として、本実施形態でも最上段内容器５に係合部を設け、被径合部が設けられている蓋１０ａを用い、蓋１０ａの周縁より上側の位置で係合部と被径合部が係合するように構成してもよい。その他の構成は第３実施形態と同様である。
【００６３】
第４実施形態によれば、積層下側収容部に相当する収容部２５の収容と中間段内容器４、６の収容と最上段内容器５の収容により、平面視同一位置に四段に食品等を収容することが可能となる。また、中間段内容器４、６、最上段内容器５が着脱可能であることから、用途に応じて中間段内容器４、中間段内容器４、６或いは中間段内容器４、６と最上段内容器５を設置して使用したり、最上段内容器５、中間段内容器４、６を取り外して使用することができ、より優れた汎用性を発揮することができる。その他、第３実施形態と対応する構成により対応する効果を発揮することができる。
【００６４】
〔実施形態の変形例等〕
本明細書開示の発明は、各発明、各実施形態の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものであり、下記変形例も包含する。
【００６５】
例えば第１実施形態では、内容器３の底部３１の仕切壁２７への係合を係合溝３３による係合としたが、係合構造は適用可能な範囲で適宜であり、例えば内容器３の底部３１に略多角形状の係合凹部を形成し、係合凹部の周壁が仕切壁２７の突出部２７１の外周に配置されるようにして係合凹部を仕切壁２７に係合する構成、或いは内容器３の底部３１の複数箇所に部分係合凹部若しくは部分係合突起を点状等で形成し、仕切壁２７の上端の対応する位置の複数箇所に部分係合突起若しくは部分係合凹部を点状等で形成し、これらの各々を凹凸が入り込むように係合する構成、或いは最上段内容器５、中間段内容器６のような係合段部の段差によって仕切壁２７に係合する構成等とすることが可能である。
【００６６】
また、内容器３の底部３１と仕切壁２７との係合構造において、容器本体２の高さ方向を軸方向とする回転を不能にする係合構造として、第１実施形態では略多角形状の係合溝３３と略多角形状の周壁である仕切壁２７を係合する構成としたが、容器本体２の高さ方向を軸方向とする回転を不能にする係合構造はこれ以外にも適用可能な範囲で適宜であり、例えば内容器３の底部３１の係合溝若しくは係合凹部と仕切壁２７を平面視でレーストラック形状若しくは楕円形状若しくは唇形状にして係合する構成、或いは上述の部分係合凹部と部分係合突起による係合の構成等とすることも可能である。尚、本発明では、内容器３の底部３１と仕切壁２７との係合構造を、容器本体２の高さ方向を軸方向とする回転が可能な係合構造とすることも可能である。
【００６７】
更に、これらの係合構造の変形例等を適宜適用可能なことは、仕切壁２７と中間段内容器４の底部４１との間の係合、複数段の中間段内容器４、６等相互の係合、中間段内容器４、６の周壁４２、６２等と最上段内容器５の底部５１との間の係合についても同様である。
【００６８】
また、内容器３の底部３１と仕切壁２７との係合、最上段内容器５の底部５１と中間段内容器４、６の周壁４２、６２等の係合、又は中間段内容器４、６等の相互係合は、上記実施形態のように遊嵌とすることが好ましいが、遊びの余裕のない嵌合とすることも可能である。
【００６９】
また、本発明において、互いに係合して上下に着脱可能に積層される複数段の中間段内容器は、第４実施形態の二段の中間段内容器４、６以外にも、三段、四段、五段等の適宜の段数とすることが可能であり、例えば複数の中間段内容器のうちの最下段の中間段内容器の底部が、上端が最大高さに位置する仕切壁２７に係合され、複数の中間段内容器のうちの最上段の中間段内容器の周壁に、最上段内容器５の底部５１が係合されるものであればよい。この場合の中間段内容器相互の係合は、第４実施形態の中間段内容器４、６相互の係合構造など適宜の係合構造とすることが可能であり、好ましくは遊嵌、或いは容器本体２の高さ方向を軸方向とする回転が不能な係合とするとよい。
【００７０】
また、積層下側収容部に相当する収容部２５、内容器３、最上段内容器５、中間段内容器４、６等は、バランス上、平面視で容器本体２の略中央に配置することが好ましいが、容器本体２の中央から偏った位置など他の位置に配置することも可能である。また、積層下側収容部である収容部２５と内容器３、収容部２５と最上段内容器５と中間段内容器４若しくは中間段内容器４、６等の組み合わせは、１つの容器本体２において一組だけでなく複数組設けることも可能であり、この場合には、包装用容器１全体の重心が安定するよう、複数組をバランスの取れた配置とすることが好ましい。
【００７１】
また、第１実施形態では、内容器３の内部の平面視面積が、積層下側収容部に相当する収容部２５の平面視面積よりも大きく、且つ容器本体２の平面視面積よりも小さくなるように設定して形成したが、内容器３の内部の平面視面積は、収容部２５の平面視面積と同じ或いは収容部２５の平面視面積よりも小さくするなど適宜設定することが可能であり、中間段内容器４、６、最上段内容器５の平面視面積についても同様である。
【００７２】
また、本発明における内容器の係合部、蓋の被係合部は、第２実施形態以外にも、蓋の周縁より上側の位置で係合可能な適宜の構成とすることが可能であり、例えば第２実施形態の内容器３ａの係合部を所定位置に離間して設けられた複数本の柱部、蓋１０ａの被係合部をこれらに対応する位置に形成された複数箇所の凹部とし、これらをそれぞれ係合する構成、或いは内容器３ａの係合部を柱部の上端に形成された係合突起、係合凹部、係合周状突条若しくは係合周状溝とし、蓋１０ａの被係合部をこれらに対応する位置に形成された係合凹部、係合突起、係合周状溝若しくは係合周状突条とし、これらを係合する構成とすることができる。
【００７３】
更に、図１０（ａ）に示すように、内容器３の係合部を周壁３２の上端部３２１とすると共に、蓋１０ａに代え、周縁より上側の中間位置に内側に突出する周状段部１３が被係合部として形成されている蓋１０ｂを用い、蓋１０ｂの周状段部１３を、容器本体２に設置状態の内容器３の周壁３２の上端部３２１に周状に略当接若しくは近接させて係合する構成等とすることが可能である。
【００７４】
更に、図１０（ｂ）に示すように、第１実施形態の内容器３を略密閉するように、透明で下向き凹形の内蓋１００を周縁で係合して取り付け、容器本体２に取り付けられる蓋１０の上面と、容器本体に設置された内容器３の内蓋１００の上面とを略当接させるようにして蓋１０と内蓋１００とを係合してもよい。この場合には、内容器の内蓋の上面が内蓋の係合部、蓋の上面が蓋の被係合部に相当する。尚、内蓋の係合部、蓋の被係合部は、段部など適宜の部分で略当接、係合して移動規制する係合構造等とすることが可能である。
【００７５】
更に、内容器の係合部と蓋の被係合部、内容器に取り付けられる内蓋の係合部と蓋の被係合部の係合構造の変形構造は、最上段内容器の係合部と蓋の被係合部、或いは最上段内容器に取り付けられる内蓋の係合部と蓋の被係合部の係合構造としても適宜適用可能である。
【００７６】
また、容器本体２の収容部２４、２５や、内容器３、３ａ、中間段内容器４、６、最上段内容器５等のそれぞれの内部である収容部において、所要箇所の収容部に食品以外のものを収容することも可能であり、例えば第１実施形態の容器本体２の収容部２４と内容器３の内部とに食品を収容し、容器本体２の収容部２５に調味料、娯楽具等を収容すること等が可能である。
【産業上の利用可能性】
【００７７】
本発明は、複数種類の食品等を収容する包装用容器に利用することができる。
【符号の説明】
【００７８】
１、１ａ、１ｂ、１ｃ…包装用容器  ２…容器本体  ２１…周壁  ２１１…嵌合段部  ２２…台座  ２２１…突部  ２２２…上面  ２３…仕切壁  ２４…収容部  ２４１…底部  ２５…収容部  ２６…底部  ２７…仕切壁  ２７１…突出部  ３、３ａ…内容器  ３１…底部  ３２…周壁  ３２１…上端部  ３３…係合溝  ３４…柱部  ４…中間段内容器  ４１…底部  ４２…周壁  ４３…係合溝  ５…最上段内容器  ５１…底部  ５２…周壁  ５３…係合段部  ６…中間段内容器  ６１…底部  ６２…周壁  ６３…係合段部  １０、１０ａ、１０ｂ…蓋  １１…段部  １２…凹部  １３…周状段部  １００…内蓋
【図１】
0006382631.tif 000002
【図２】
0006382631.tif 000003
【図３】
0006382631.tif 000004
【図４】
0006382631.tif 000005
【図５】
0006382631.tif 000006
【図６】
0006382631.tif 000007
【図７】
0006382631.tif 000008
【図８】
0006382631.tif 000009
【図９】
0006382631.tif 000010
【図１０】
0006382631.tif 000011